(57)【要約】  【課題】写真処理装置の処理液タンクのヒータの適正な制御方法の提供。  【解決手段】本発明では、電源電圧が１００〜１２０ボルトの場合で乾燥ヒータが非通電状態のときは、各加熱ヒータの通電時間はそれぞれの比例周期に対して最大１００％まで制御し、電源電圧が１００〜１２０ボルトの場合で乾燥ヒータが通電状態のときは、各加熱ヒータの通電時間はそれぞれの比例周期に対して最大１００％まで制御するとともに、各加熱ヒータが同時に通電状態とならないように各加熱ヒータの通電タイミングをずらすように制御し、電源電圧が２００〜２４０ボルトの場合で乾燥ヒータが非通電状態のときは、各加熱ヒータの通電時間はそれぞれの比例周期に対して最大２５％までに制限して制御し、電源電圧が２００〜２４０ボルトの場合で乾燥ヒータが通電状態のときは、各加熱ヒータの通電時間はそれぞれの比例周期に対して最大２５％までに制限して制御するとともに、各加熱ヒータが同時に通電状態とならないように各加熱ヒータの通電タイミングをずらすように制御する。【選択図】      図７
2005275059.tif 000002
【特許請求の範囲】
【請求項１】
写真感光材料の現像処理液を貯留する複数の処理液タンクと、これらの処理液タンクの温度を調節するための比例制御による加熱ヒータと、現像処理後の写真感光材料を乾燥させるための乾燥ヒータとを備えた写真処理装置におけるヒータ制御方法において、
電源電圧が１００〜１２０ボルトの場合で乾燥ヒータが非通電状態のときは、
各加熱ヒータの通電時間はそれぞれの比例周期に対して最大１００％まで制御し、
電源電圧が１００〜１２０ボルトの場合で乾燥ヒータが通電状態のときは、
各加熱ヒータの通電時間はそれぞれの比例周期に対して最大１００％まで制御するとともに、各加熱ヒータが同時に通電状態とならないように各加熱ヒータの通電タイミングをずらすように制御し、
電源電圧が２００〜２４０ボルトの場合で乾燥ヒータが非通電状態のときは、
各加熱ヒータの通電時間はそれぞれの比例周期に対して最大２５％までに制限して制御し、
電源電圧が２００〜２４０ボルトの場合で乾燥ヒータが通電状態のときは、
各加熱ヒータの通電時間はそれぞれの比例周期に対して最大２５％までに制限して制御するとともに、各加熱ヒータが同時に通電状態とならないように各加熱ヒータの通電タイミングをずらすように制御することを特徴とする写真処理装置におけるヒータ制御方法。
【発明の詳細な説明】
【技術分野】
【０００１】
本発明は、写真感光材料の現像処理液を貯留する複数の処理液タンクと、これらの処理液タンクの温度を調節するための比例制御による加熱ヒータと、現像処理後の写真感光材料を乾燥させるための乾燥ヒータとを備えた写真処理装置におけるヒータ制御方法に関するものである。
【背景技術】
【０００２】
画像の焼き付けられた写真フイルムや印画紙といった写真感光材料は、現像処理装置により現像処理が行われるのであるが、この現像処理時、処理液タンクに貯留されている現像液、定着液、安定化液等の各種処理液は所定の温度に調節される必要があるので、各処理液タンクには温度調節用の加熱ヒータが備えられている。
また、現像処理後の写真感光材料を乾燥させるための乾燥ヒータも備えている。
これらのヒータは、所定の温度になるように比例制御されている。
【０００３】
そして、このような写真処理装置は、電源電圧の異なる条件で使用されることがある。例えば、２００〜２４０ボルトの高電圧電源の場合を、１００〜１２０ボルトの低電圧電源の場合と比較すると、電源電圧が２倍になるため、各ヒータの消費電力は電源電圧の比の２乗倍、即ち４倍になってしまう。そのため、電源電圧に応じて各ヒータの通電時間を変えるような処理液温調装置が使用されている。
【発明の開示】
【発明が解決しようとする課題】
【０００４】
ところが、上述したような従来のような、各ヒータに対して一定の比例周期に対して通電時間を変えて制御するだけの方法では、複数のヒータが同時に通電状態となるタイミングが存在することがある。
そのように複数のヒータが同時に通電状態になると、その瞬間に大きな電流が流れることになる。そのため、消費電力はそれほど変わらないが、高電圧電源で使用する場合の電気容量が大きくなって、機器のコストアップや、電力使用量の基本料金が高くなるという問題がある。
このような問題は、乾燥ヒータが通電状態のときに、複数のヒータが同時に通電状態となり得る場合にもっとも顕著となる。
【０００５】
そこで、本発明は、異なる電源電圧で使用され得る場合に、それぞれが比例制御される複数のヒータが同時に通電状態にならないように制御するヒータ制御方法の提供を目的としてなされたものである。
【課題を解決するための手段】
【０００６】
本発明にかかる写真処理装置におけるヒータ制御方法においては、
写真感光材料の現像処理液を貯留する複数の処理液タンクと、これらの処理液タンクの温度を調節するための比例制御による加熱ヒータと、現像処理後の写真感光材料を乾燥させるための乾燥ヒータとを備えた写真処理装置におけるヒータ制御方法において、
電源電圧が１００〜１２０ボルトの場合で乾燥ヒータが非通電状態のときは、
各加熱ヒータの通電時間はそれぞれの比例周期に対して最大１００％まで制御し、
電源電圧が１００〜１２０ボルトの場合で乾燥ヒータが通電状態のときは、
各加熱ヒータの通電時間はそれぞれの比例周期に対して最大１００％まで制御するとともに、各加熱ヒータが同時に通電状態とならないように各加熱ヒータの通電タイミングをずらすように制御し、
電源電圧が２００〜２４０ボルトの場合で乾燥ヒータが非通電状態のときは、
各加熱ヒータの通電時間はそれぞれの比例周期に対して最大２５％までに制限して制御し、
電源電圧が２００〜２４０ボルトの場合で乾燥ヒータが通電状態のときは、
各加熱ヒータの通電時間はそれぞれの比例周期に対して最大２５％までに制限して制御するとともに、各加熱ヒータが同時に通電状態とならないように各加熱ヒータの通電タイミングをずらすように制御することを特徴としている。
【発明の効果】
【０００７】
本発明の写真処理装置におけるヒータ制御方法においては、
電源電圧が１００〜１２０ボルトの場合で乾燥ヒータが通電状態のときは、各処理液タンクの加熱ヒータが同時に通電状態とならないように各加熱ヒータの通電タイミングをずらすように制御し、
電源電圧が２００〜２４０ボルトの場合で乾燥ヒータが非通電状態のときは、各加熱ヒータの通電時間はそれぞれの比例周期に対して最大２５％までに制限して制御し、乾燥ヒータが通電状態のときは、各加熱ヒータの通電時間はそれぞれの比例周期に対して最大２５％までに制限して制御するとともに、各加熱ヒータが同時に通電状態とならないように各加熱ヒータの通電タイミングをずらすように制御するので、電源電圧が１００〜１２０ボルトの場合でも、２００〜２４０ボルトの場合でも、電源の電気容量を無駄に増やすことなく、適正な比例制御による処理液の温度制御を行うことができる。
従って、写真処理装置のイニシャルコストもランニングコストも節減することができる。
【発明を実施するための最良の形態】
【０００８】
以下に、本発明にかかる写真処理装置におけるヒータ制御方法を、フィルム現像処理装置に用いた実施の形態の図面を参照して詳細に説明する。
図１は写真感光材料の一例としてのフィルムＦを現像処理するためのフィルム現像処理装置の概略を示したものであって、このフィルム現像処理装置は、ハウジング１内に、現像処理室１１と、この現像処理室１１の下流側に隣接する乾燥処理室１２と、現像処理室１１の上流側に隣接するフィルム装填室１３とが設けられている。
【０００９】
フィルム装填室１３には、撮影済みのフィルムＦを装填するフィルム装填部２が搭載され、現像処理室１１には、フィルム装填部２から繰り出されるフィルムＦを現像処理するための現像処理部３が搭載され、更に乾燥処理室１２には、現像処理部３で現像処理されたフィルムＦを乾燥処理するための乾燥処理部４が搭載されている。またハウジング１の上方には、乾燥処理部４で乾燥したフィルム２を一時的に保存するためのフィルム保存部４０が設けられている。
【００１０】
フィルム装填部２には、搬送ローラ２ａと、パトローネＰから引き出したフィルムＦの後端を切断するフィルムカッタ２ｂと、フィルムカッタ２ｂの一方の刃をスライド移動させるフィルム切断用ソレノイド２ｃと、フィルムＦを搬送ローラ２ａに圧接するための圧接ローラ２ｄと、圧接ローラ２ｄを上下に移動させて、フィルムＦを搬送ローラ２ａに圧接する状態と圧接を開放する状態とに切換える圧接ソレノイド２ｅとが備えられており、パトローネＰから引き出されたフィルムＦは、搬送ローラ２ａと遊転ローラ２ｄとに挟持された状態で搬送されて、現像処理部３に送り込まれるようにしている。
【００１１】
現像処理部３には、現像，漂白，定着，安定化の処理を順次行なうため、現像液、漂白液、定着液、安定化液の各処理液が個別に充填された７台の処理液タンク５と、この処理液タンク５内に組み込まれてフィルムＦを搬送する搬送ユニット５０とが備えられている。
【００１２】
図１に示すフィルム現像処理装置では、フィルムＦが搬送される最上流側に位置する処理液タンク５が現像液を貯留する処理液タンク５Ｃで、その下流側が漂白液を貯留する処理液タンク５Ｂで、続く２台が定着液を貯留する処理液タンク５Ｆであり、さらに続く３台が安定化液を貯留する処理液タンク５Ｓであり、フィルムＦはこれら処理液タンク５内に組み込まれた搬送ユニット５０によって搬送される。
【００１３】
前記処理液タンク５の詳細を図２に示した。この図２においては、各処理液タンク５Ｃ，５Ｂ，５Ｆ，５Ｓの各種類の処理液タンクは、その詳細構成はほぼ同一であるため、処理液タンク５を例示して説明した。
即ち、処理液タンク５は、図２に示すように、フィルムＦの現像処理を行う処理槽５１と、その処理槽５１における上部の側方に位置して所謂調整槽として機能するサブタンク５２とから構成され、処理槽５１内の上部とサブタンク５２内の上部とは流通可能となっており、またサブタンク５２の内底部と処理槽５１の内底部とは循環管路５３で接続され、この循環管路５３の途中には循環ポンプ５４が備えられ、この循環ポンプ５４の駆動により、処理槽５１とサブタンク５２との間で処理液を循環させるようにしている。なお、その他の構成の説明は省略した。
そして、図２、３に示したように、
処理液タンク５Ｃのサブタンクの内部には、処理液タンク内の処理液を加熱する加熱ヒータ８１Ｃと、温度制御用の温度センサ８２Ｃが設けられ、
処理液タンク５Ｂのサブタンクの内部には、処理液タンク内の処理液を加熱する加熱ヒータ８１Ｂと、温度制御用の温度センサ８２Ｂが設けられ、
処理液タンク５Ｆのサブタンクの内部には、処理液タンク内の処理液を加熱する加熱ヒータ８１Ｆと、温度制御用の温度センサ８２Ｆが設けられ、
処理液タンク５Ｓのサブタンクの内部には、処理液タンク内の処理液を加熱する加熱ヒータ８１Ｓと、温度制御用の温度センサ８２Ｓが設けられている。
【００１４】
また、前記乾燥処理部４には、空気を加熱するための乾燥ヒータ４２と、加熱した空気をフィルム搬送径路に向けて温風として送るための送風ファン４１が備えられており、フィルムＦは、乾燥処理部４内において搬送されながら送風ファン４１から吹き出される温風により乾燥された後、フィルム保存部４０に搬出されるようにしている。
【００１５】
前記各加熱ヒータ８１Ｃ，８１Ｂ，８１Ｆ，８１Ｓ、および各温度センサ８２Ｃ，８２Ｂ，８２Ｆ，８２Ｓ、そして乾燥ヒータ４２、および送風ファン４１はそれぞれインターフェース回路を介してコントローラ７に接続されている。
このコントローラ７は、マイクロコンピュータＣＰＵを中核部材として構成され、コントローラ７には、フィルム搬送や処理液の管理等に関する制御を行う機能が構築されているのであって、本発明に関連する動作に関する機能要素としては、図３に示すように、インターフェース回路７３を介して取り込んだ各温度センサからの温度情報に基づいて、インターフェース回路７２を介して各加熱ヒータの通電時間をそれぞれ比例制御する温調機能と、処理対象のフィルムＦが搬送されてきたときに前記乾燥ヒータ４２と送風ファン４１とをインターフェース回路７１を介して駆動制御する乾燥制御機能と、前記乾燥ヒータ４２の通電状態と電源電圧に基づいて、電源電圧が２００〜２４０ボルトの場合には、前記比例制御される各加熱ヒータが同時に通電状態とならないように各ヒータの通電タイミングを制御するタイミング制御機能などが構築されている。
【００１６】
次に、以上の構成からなるフィルム現像処理装置における各加熱ヒータの通電制御を、電源電圧が１００〜１２０ボルトの場合と、２００〜２４０ボルトの場合とに分けて説明する。
【００１７】
まず、電源電圧が１００〜１２０ボルトの場合、乾燥ヒータが非通電状態の場合の通電制御を、図４を参照して説明する。
乾燥ヒータが非通電状態の場合には、消費電力に余裕があるため、各加熱ヒータが同時に通電状態になることが許される。
従って、各加熱ヒータの比例制御においては、各加熱ヒータの比例周期に対して最大１００％までの範囲で通電することが許される。
即ち、各加熱ヒータは斜線で示した範囲に対して最大１００％の期間通電されることが許される。従って、各加熱ヒータが同時に通電状態になる場合もある。
【００１８】
次に、電源電圧が１００〜１２０ボルトの場合で、乾燥ヒータが通電状態になった場合の通電制御を、図５を参照して説明する。
乾燥ヒータが通電状態の場合には、消費電力に若干余裕がなくなるため、加熱ヒータ８１Ｃと加熱ヒータ８１Ｂ，８１Ｆとが通電状態のときには、加熱ヒータ８１Ｓまで同時に通電状態にならないように、比例制御に基づく比例周期のタイミングが制御される。
即ち、図５に示したように、加熱ヒータ８１Ｃと加熱ヒータ８１Ｂ，８１Ｆとが通電状態のときには、加熱ヒータ８１Ｓの比例周期の開始タイミングは、前記加熱ヒータ８１Ｂ，８１Ｆの比例周期が終了した後にずらすように制御される。
従って、各加熱ヒータは、それぞれの比例周期に対して最大１００％までの範囲で通電されるが、加熱ヒータ８１Ｓの比例周期の開始タイミングを、前記加熱ヒータ８１Ｂ，８１Ｆの比例周期が終了した後にずらすことによって、電気容量を小さくすることができるのである。
【００１９】
次に、電源電圧が２００〜２４０ボルトの場合を説明する。
電源電圧が２倍になると消費電力は２の２乗倍、即ち４倍になるので、各加熱ヒータの通電時間は、それぞれの比例周期に対して最大２５％（１／４）までに制限する。
まず、乾燥ヒータが非通電状態の場合の通電制御を、図６を参照して説明する。
乾燥ヒータが非通電状態の場合には、消費電力に余裕があるため、各加熱ヒータが同時に通電状態になることが許される。
従って、各加熱ヒータの比例制御においては、各加熱ヒータが同時に通電状態となることは許されるが、通電時間は、斜線で示した各加熱ヒータの比例周期に対して最大２５％までの範囲に限定される。
【００２０】
次に、乾燥ヒータが通電状態になった場合の通電制御を、図７を参照して説明する。
乾燥ヒータが通電状態の場合には、各加熱ヒータの比例周期に対して最大２５％までの範囲に限定されるとともに、消費電力に余裕がなくなるため、各加熱ヒータの比例周期のタイミングも制御される。
即ち、加熱ヒータ８１Ｃの最大の比例周期の終了後に、加熱ヒータ８１Ｂ，８１Ｆの比例周期が始まり、加熱ヒータ８１Ｂ，８１Ｆの最大の比例周期の終了後に、加熱ヒータ８１Ｓの比例周期が始まるように制御される。
従って、各加熱ヒータは、それぞれの比例周期に対して最大２５％までの範囲で通電されるとともに、加熱ヒータ８１Ｃの最大の比例周期の終了後に加熱ヒータ８１Ｂ，８１Ｆの比例周期が始まり、加熱ヒータ８１Ｂ，８１Ｆの最大の比例周期の終了後に加熱ヒータ８１Ｓの比例周期が始まるようにずらして制御することによって、電気容量を小さくすることができるのである。
以上のように、比例制御される各加熱ヒータの通電タイミングをずらす場合においては、処理液温度の許容範囲が最も狭い現像液の加熱ヒータ８１Ｃの通電タイミングを基準（優先）にして制御することが好ましい。
【実施例１】
【００２１】
実施例１においては、
乾燥ヒータ４２は、図８に示したように，電源電圧が２００〜２４０ボルトの場合と１００〜１２０ボルトの場合とで内部接続を切り換えることによって、２００〜２４０ボルトでも１００〜１２０ボルトでも、消費電力は同じ５００ワットになるように構成されている。
即ち、図８の（ａ）に示したように、乾燥ヒータ４２は２つの抵抗体Ｒ，Ｒが一端ａで接続されており、他端ｂ，ｃは、切り換え回路４３と、前記インターフェース回路７１を介してマイクロコンピュータＣＰＵから制御されるスイッチ４４とを介して電源が供給されるように構成されている。
そして、電源電圧が１００〜１２０ボルトの場合には、図８の（ｂ）に示したように、２つの抵抗体Ｒ，Ｒを並列接続してスイッチ４４を介して電源が供給されるように接続し、電源電圧が２００〜２４０ボルトの場合には、図８の（ｃ）に示したように、２つの抵抗体Ｒ，Ｒを直列接続してスイッチ４４を介して電源が供給されるように接続する。
【００２２】
前記２つの抵抗体Ｒ，Ｒの抵抗値を４０Ωとすることによって、１００ボルトの場合に図８の（ｂ）のように接続した場合の消費電力は、
Ｐ＝１００2／４０×２＝５００（ワット）
となり、
２００ボルトの場合に図８の（ｃ）のように接続した場合の消費電力は、
Ｐ＝２００2／（４０×２）＝５００（ワット）
となるので、何れの電源電圧の場合でも同じ消費電力５００ワットとなるのである。
従って、連続的に通電しても加熱することは防止でき、適正な乾燥が可能となるのである。
【００２３】
また、加熱ヒータ８１Ｃは２００ボルトで４００ワット、加熱ヒータ８１Ｂ，８１Ｆは２００ボルトで６００ワット、加熱ヒータ８１Ｓは２００ボルトで６００ワットの消費電力のものが使用されている。なお、これらの加熱ヒータの１００ボルトのときの消費電力はそれぞれ２００ボルトの消費電力の１／４になる。
また、現像液の目標温度は３８±０．１℃であって、各処理液のなかでも処理液の温度の許容範囲が最も狭いので、現像液の加熱ヒータ８１Ｃの通電タイミングを基準（優先）にして、各加熱ヒータを制御することが好ましい。
なお、各ヒータの容量は一例であって、必要に応じて適切な容量とすることは言うまでもない。
【産業上の利用可能性】
【００２４】
以上の実施形態では、フィルム現像処理装置に本発明を適用したが、これに限定されるものではなく、例えば印画紙の現像処理装置に本発明を適用してもよい。
【図面の簡単な説明】
【００２５】
【図１】本発明にかかる写真処理装置におけるヒータ制御方法を実施するフィルム現像処理装置の構成図である。
【図２】前記図１の要部の構成図である。
【図３】前記図２の制御ブロック図である。
【図４】前記図２の制御パターンの説明図である。
【図５】前記図２の制御パターンの説明図である。
【図６】前記図２の制御パターンの説明図である。
【図７】前記図２の制御パターンの説明図である。
【図８】前記図２の乾燥ヒータの接続を説明する説明図である。
【符号の説明】
【００２６】
３      現像処理部
４      乾燥処理部
４１    送風ファン
４２    乾燥ヒータ
５      処理液タンク
５Ｃ    処理液タンク
８１Ｃ  加熱ヒータ
８２Ｃ  温度センサ
５Ｂ    処理液タンク
８１Ｂ  加熱ヒータ
８２Ｂ  温度センサ
５Ｆ    処理液タンク
８１Ｆ  加熱ヒータ
８２Ｆ  温度センサ
５Ｓ    処理液タンク
８１Ｓ  加熱ヒータ
８２Ｓ  温度センサ
７      コントローラ
【図１】
2005275059.tif 000003
【図２】
2005275059.tif 000004
【図３】
2005275059.tif 000005
【図４】
2005275059.tif 000006
【図５】
2005275059.tif 000007
【図６】
2005275059.tif 000008
【図７】
2005275059.tif 000009
【図８】
2005275059.tif 000010